【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
（１）表示用ユニットの制御信号を供給するコントローラと前記表示用ユニットとの間、（２）表示用ユニット間、（３）前記コントローラと分配ボードとの間、又は（４）前記表示用ユニットと分配ボード間でデータを通信させる通信手段を有する通信制御装置において、
前記通信手段に一定周期で入力される信号（Ｖ）によりカウント値が初期化されるカウンタ回路と、
該カウンタ回路がカウントするカウント値と予め設定された比較値（Ｍ）とを比較すると共に前記比較値（Ｍ）と前記カウント値の一致を検出し通信障害状態と判断する比較回路と、を有することを特徴とする通信制御装置。
【請求項２】
（１）表示用ユニットの制御信号を供給するコントローラと前記表示用ユニットとの間、（２）表示用ユニット間、（３）前記コントローラと分配ボードとの間、又は（４）前記表示用ユニットと分配ボード間でデータを通信させる通信手段を有する通信制御装置において、
前記通信手段に一定周期で入力される信号（Ｖ）からの所定の一定期間（Ｔ１）を検出し通信障害状態と判断する第一の検出手段を有することを特徴とする通信制御装置。
【請求項３】
（１）表示用ユニットの制御信号を供給するコントローラと前記表示用ユニットとの間、（２）表示用ユニット間、（３）前記コントローラと分配ボードとの間、又は（４）前記表示用ユニットと分配ボード間でデータを通信させる通信手段を有する通信制御装置において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出して、前記通信手段をリセットする信号を出す第二の比較回路と、を有することを特徴とする通信制御装置。
【請求項４】
（１）表示用ユニットの制御信号を供給するコントローラと前記表示用ユニットとの間、（２）表示用ユニット間、（３）前記コントローラと分配ボードとの間、又は（４）前記表示用ユニットと分配ボード間でデータを通信させる通信手段を有する通信制御装置において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出して、前記通信手段の少なくとも受信手段と送信手段をリセットする信号を出す第二の検出手段とを有することを特徴とする通信制御装置。
【請求項５】
前記通信障害状態を記憶する通信状態情報記憶手段を有する請求項１から４のいずれか一項に記載の通信制御装置。
【請求項６】
前記通信状態情報記憶手段は、前記通信手段からの第一の信号が入力されると、前記通信障害状態の記憶が消去される記憶手段であり、該第一の信号が任意時に入力できる通信手段である請求項５に記載の通信制御装置。
【請求項７】
前記一定周期で入力される信号（Ｖ）は、垂直又は水平同期信号である１から６のいずれか一項に記載の通信制御装置。
【請求項８】
前記請求項１から７のいずれか一項に記載の通信制御装置と、発光ダイオードと、を備えることを特徴とするＬＥＤ表示器。
【請求項９】
ＬＥＤユニットコントローラ（３５）から全２重又は半２重双方向パケット通信（３４）できるよう通信用信号コネクタ（３３）を介しカスケード接続された複数のＬＥＤユニット（３１）で構成されるＬＥＤユニットブロック（３２）を備えるＬＥＤ表示器において、
少なくとも前記ＬＥＤユニット（３１）が受信回路（１１）と送信回路（１２）を有する通信部（１３）と、
前記受信回路（１１）から垂直同期信号（１１０）が入力されるよう電気的に接続されたカウンタ回路（１５）と、
該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるにフラグ１（１１５）を出力する比較回路１（１６）と、
該カウンタ回路１（１５）と電気的に接続され該カウンタ回路１（１５）のカウンタ値と予め設定された比較値２（１１６）とを比較して一致すれば通信部リセット信号（１１１）を出力する比較回路２（１７）と、を有する保護回路を備えることを特徴とするＬＥＤ表示器。
【請求項１０】
前記記憶装置（１８）が前記通信部（１３）と電気的に接続され該記憶装置（１８）に記憶された前記フラグ１（１１５）からなる通信障害情報（ｖｅｒｒ−ｂ）（１１２）を前記通信部（１３）が任意に読み出すとともに、前記受信回路（１１）から該記憶装置（１８）内の通信障害情報（ｖｅｒｒ−ｂ）（１１２）を消去できるリードクリア信号（１９）が入力される記憶装置である請求項９に記載のＬＥＤ表示器。
【請求項１１】
ＬＥＤコントローラ（７１）から全２重双方向パケット通信（７６）できるようカスケード接続された複数の分配ボード（７２）と該分配ボード（７２）にスター型配線にて放射状に接続されるＬＥＤユニット（７３）から構成されるＬＥＤ表示器において、
少なくとも前記分配ボード（７２）が受信回路（１１）と送信回路（１２）を有する通信部（１３）と、
前記受信回路（１１）から垂直同期信号（１１０）が入力されるよう電気的に接続されたカウンタ回路（１５）と、
該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるにフラグ１（１１５）を出力する比較回路１（１６）と、
該カウンタ回路１（１５）と電気的に接続され該カウンタ回路１（１５）のカウンタ値と予め設定された比較値２（１１６）とを比較して一致すれば通信部リセット信号（１１１）を出力する比較回路２（１７）からなる保護回路を備えることを特徴とするＬＥＤ表示器。
【請求項１２】
前記記憶装置（１８）が前記通信部（１３）と電気的に接続され該記憶装置（１８）に記憶された前記フラグ１（１１５）からなる通信障害情報（ｖｅｒｒ−ｂ）（１１２）を前記通信部（１３）が任意に読み出すとともに、前記受信回路（１１）から該記憶装置（１８）内の通信障害情報（ｖｅｒｒ−ｂ）（１１２）を消去できるリードクリア信号（１９）が入力される記憶装置である請求項１１に記載のＬＥＤ表示器。
【請求項１３】
前記記憶装置（１８）が、前記カウンタ回路１（１５）からカウント状況を示す通信状態（ｖｅ−ｃｎｔ）（１１９）が該記憶装置（１８）へ入力され記憶されるとともに、前記予め設定された比較値１（１１４）と前記予め設定された比較値２（１１６）が該記憶装置（１８）に設定保持されている請求項１２に記載のＬＥＤ表示器。
【請求項１４】
ＬＥＤユニットコントローラ（３５）から全２重又は半２重双方向パケット通信（３４）できるよう通信用信号コネクタ（３３）を介しカスケード接続された複数のＬＥＤユニット（３１）で構成されるＬＥＤユニットブロック（３２）を備えるＬＥＤ表示器において、
少なくとも前記ＬＥＤユニット（３１）が受信回路（１１）と送信回路（１２）を有する通信部（１３）と、
前記受信回路（１１）から垂直同期信号（１１０）が入力されるよう電気的に接続されたカウンタ回路（１５）と、
該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるフラグ１（１１５）と通信部リセット信号（１１１）を選択的に出力する比較回路１（１６）からなる保護回路を備えることを特徴とするＬＥＤ表示器。
【請求項１５】
前記記憶装置（１８）が前記通信部（１３）と電気的に接続され該記憶装置（１８）に記憶された前記フラグ１（１１５）からなる通信障害情報（ｖｅｒｒ−ｂ）（１１２）を前記通信部（１３）が任意に読み出すとともに、前記受信回路（１１）から該記憶装置（１８）内の通信障害情報（ｖｅｒｒ−ｂ）（１１２）を消去できるリードクリア信号（１９）が入力される記憶装置である請求項１４に記載のＬＥＤ表示器。
【請求項１６】
ＬＥＤコントローラ（７１）から全２重双方向パケット通信（７６）できるようカスケード接続された複数の分配ボード（７２）と該分配ボード（７２）にスター型配線にて放射状に接続されるＬＥＤユニット（７３）から構成されるＬＥＤ表示器において、
少なくとも前記分配ボード（７２）が受信回路（１１）と送信回路（１２）を有する通信部（１３）と、前記受信回路（１１）から垂直同期信号（１１０）が入力されるよう電気的に接続されたカウンタ回路（１５）と、該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるフラグ１（１１５）と通信部リセット信号（１１１）を選択的に出力する比較回路１（１６）からなる保護回路を備えることを特徴とするＬＥＤ表示器。
【請求項１７】
前記記憶装置（１８）が前記通信部（１３）と電気的に接続され該記憶装置（１８）に記憶された前記フラグ１（１１５）からなる通信障害情報（ｖｅｒｒ−ｂ）（１１２）を前記通信部（１３）が任意に読み出すとともに、前記受信回路（１１）から該記憶装置（１８）内の通信障害情報（ｖｅｒｒ−ｂ）（１１２）を消去できるリードクリア信号（１９）が入力される記憶装置である請求項１６に記載のＬＥＤ表示器。
【請求項１８】
前記記憶装置（１８）が、前記カウンタ回路１（１５）からカウント状況を示す通信状態（ｖｅ−ｃｎｔ）（１１９）が該記憶装置（１８）へ入力され記憶されるとともに、前記予め設定された比較値１（１１４）と前記予め設定された比較値２（１１６）が該記憶装置（１８）に設定保持されている請求項１４から１７のいずれか一項に記載のＬＥＤ表示器。
【請求項１９】
前記請求項８から１８のいずれか一項に記載のＬＥＤ表示器を備えることを特徴とするビルディング。
【請求項２０】
（１）表示用ユニットの制御信号を供給するコントローラと前記表示用ユニットとの間、（２）表示用ユニット間、（３）前記コントローラと分配ボードとの間、又は（４）前記表示用ユニットと分配ボード間でデータを通信させる通信手段を有する通信制御装置の駆動方法において、
前記通信手段に一定周期で入力される信号（Ｖ）によりカウント値を初期化する第一の工程と、
カウントしたカウント値と予め設定した第一の比較値とを比較すると共に前記第一の比較値と前記カウント値の一致を検出して通信障害状態と判断する第二の工程と、
前記通信障害状態と判断した後、初期化された前記カウント値と予め設定された第二の比較値とを比較するとともに、前記第二の比較値と前記カウント値の一致を検出し、前記通信手段をリセットする第三の工程と、を有することを特徴とする通信制御装置の駆動方法。